(57)【要約】【課題】外部の電波を良好に受信でき正確な時刻修正を可能としながら、同時に、外装ケースを金属で構成することによって装飾性を高める腕時計を提供すること。【解決手段】電波修正腕時計は、金属外装ケースと、前記金属外装ケースの端部に取り付けられた腕装着用のバンドと、前記金属外装ケース内部に配置されたアンテナとを有し、断面方向において前記バンドより裏面側に位置する前記金属外装ケースの端部には表面側から見て前記バンドによりほぼ覆われる非導電材からなる非導電部が配置されており、前記非導電部に対向して前記アンテナが配置されている。【選択図】　図１
2004125659.tif 000002
【特許請求の範囲】
【請求項１】
時刻情報を含んだ電波を受信して内部時刻を修正する電波修正腕時計において、
金属外装ケースと、前記金属外装ケースの端部に取り付けられた腕装着用のバンドと、前記金属外装ケース内部に配置されたアンテナとを有し、断面方向において前記バンドより裏面側に位置する前記金属外装ケースの端部には表面側から見て前記バンドによりほぼ覆われる非導電材からなる非導電部が配置されており、前記非導電部に対向して前記アンテナが配置されていることを特徴とする電波修正腕時計。
【請求項２】
請求項１に記載の電波修正腕時計において、
前記アンテナは、コアとコイルとを備えており、前記非導電部に対向して前記アンテナのコアが配置されていることを特徴とする電波修正腕時計。
【請求項３】
請求項１または２に記載の電波修正腕時計において、
前記非導電部は、前記金属外装ケースの１２時側と６時側の両方に設けられており、前記アンテナのコアは前記１２時側と６時側の両方において前記非導電部に対向して配置されていることを特徴とする電波修正腕時計。
【請求項４】
請求項１乃至３のいずれかに記載の電波修正腕時計において、
前記非導電部は、前記金属外装ケースに取付けられた前記バンドの取付け部よりも前記金属外装ケースの裏面側に設けられていることを特徴とする電波修正腕時計。
【請求項５】
請求項１乃至４のいずれかに記載の電波修正腕時計において、
前記非導電部は、前記金属外装ケースにおける裏蓋が取付く胴に設けられていることを特徴とする電波修正腕時計。
【請求項６】
請求項１乃至４のいずれかに記載の電波修正腕時計において、
前記非導電部は、前記金属外装ケースにおける胴に取付く裏蓋に設けられていることを特徴とする電波修正腕時計。
【請求項７】
請求項１乃至６のいずれかに記載の電波修正腕時計において、
前記非導電部は、プラスチック又は合成ゴムからなることを特徴とする電波修正腕時計。
【請求項８】
請求項１乃至７のいずれかに記載の電波修正腕時計において、
前記非導電部は、前記胴と裏蓋との間に配置された両者間の防水をなす防水パッキンであることを特徴とする電波修正腕時計。
【請求項９】
請求項１乃至８のいずれかに記載の電波修正腕時計において、
前記非導電部は側面形状が扁平な略長方形であり、前記アンテナのコアも側面形状が扁平な略長方形であることを特徴とする電波修正腕時計。
【請求項１０】
請求項１乃至９のいずれかに記載の電波修正腕時計において、
前記アンテナのコアは、前記非導電部に対向する両端の内方が折れ曲がりその折れ曲り部の内方は略水平部となり、前記略水平部は前記両端に対して前記金属外装ケースの表側に盛り上がっていることを特徴とする電波修正腕時計。
【請求項１１】
請求項１乃至１０のいずれかに記載の電波修正腕時計において、
前記アンテナのコアは、平面方向において前記金属外装ケースにおける１２時側と６時側を結ぶ中心線に対して前記金属外装ケースのほぼ中央を中心として角度αだけ傾斜して配置されていることを特徴とする電波修正腕時計。
【請求項１２】
請求項１乃至１１のいずれかに記載の電波修正腕時計において、
前記バンドは、金属から構成されていることを特徴とする電波修正腕時計。
【請求項１３】
請求項１乃至１１のいずれかに記載の電波修正腕時計において、
前記非導電部は、前記非金属のバンドを前記金属外装ケースに取付ける金属取付け部材に対して前記金属外装ケースの裏面側に設けられていることを特徴とする電波修正腕時計。
【請求項１４】
請求項１乃至１３のいずれかに記載の電波修正腕時計において、
前記金属外装ケースは、胴と前記胴に取着する裏蓋とを有し、前記胴と裏蓋は金属であることを特徴とする電波修正腕時計。
【請求項１５】
請求項１乃至１３いずれかに記載の電波修正腕時計において、
前記金属外装ケースは、胴と前記胴に取付く裏蓋とを備え、前記胴は金属からなり、前記裏蓋は非金属からなることを特徴とする電波修正腕時計。
【請求項１６】
請求項１に記載の電波修正腕時計において、
前記金属外装ケースは、プラスチック材の基部の表面に金属薄材を被覆していることを特徴とする電波修正腕時計。
【発明の詳細な説明】
【０００１】
【発明の属する技術分野】
本発明は、時刻情報を含んだ電波を受信して内部時刻を修正する電波修正腕時計における外装ケースとアンテナの配置構造に関する。
【０００２】
【背景技術】
外部からの時刻情報を含んだ電波を内部時刻を修正して例えば時計針を修正するいわゆる電波修正腕時計は広く知られている。
【０００３】
このような電波修正腕時計は、電波を腕時計の内部に配置されたアンテナで受信するものであるが、その電波を妨害なくアンテナで受信することが要求されている。
【０００４】
このため、アンテナを覆っている外装ケースの材質を導電性材や磁性材とすると内部のアンテナまで電波が届かなくなるものである。
【０００５】
そこで、従来は、外装ケースをプラスチックで形成して電波がアンテナに届くように配慮しているものが大半である。
【０００６】
一方、特許文献１の様に、外装ケースのいわゆる胴（外装ケース本体で時計ムーブメントを支持する部分）に相当する部分には金属を用い、ユーザに時刻を表示する時刻針が配置された表側のカバーガラスや、裏面側に配置された裏蓋を非金属にし、上記金属の胴の内方にある程度の距離を置いてアンテナを配置した構造が提案されている。
【０００７】
ここで、腕時計が、時刻表示機能という実用的な役割りを果たすことは無論であるが、安価で手ごろな低価格化が歓迎される一方、とみに最近は、腕に装着する装飾品としての装飾性が一段と求められ傾向が強くなっている。このため、電波修正による高精度の時刻表示にふさわしい金属調外観の実現が以前にも増して希求されているものである。
【０００８】
【特許文献１】
特開２００１−３３５７１号公報（［０００５］〜［００１７］、図１）
【０００９】
【発明が解決しようとする課題】
このような背景の中で、前記の外装ケースをプラスチックで構成するものにあっては、アンテナによる電波の受信は良好に行われるものの、前述の装飾性の点で劣るものである。即ち、腕時計の中で、外観において大きなウエートを占める外装ケースがプラスチックであると、金属ケースに比べ重みと深みが劣り、見た目に安物の印象を与えてしまう。また、プラスチックが金属に比べると軟らかいので、傷がつき易いものである。
【００１０】
一方、外装ケースのいわゆる胴に相当する部分には金属を用い、表側のカバーガラスや裏蓋を非金属にし、上記金属の胴の内方に距離を置いてアンテナを配置した構造にあっては、外装ケースの殆どを金属で構成するため、外観の装飾性は優れるが、アンテナが金属ケースの内部に配置されているので、電波は金属ケースによって妨害されアンテナにより受信されにくいという受信技術上の基本的な課題を抱えている。この対策として、アンテナは、外装ケースに対して必ず距離を確保することが要求され、しかも裏蓋はプラスチック等非金属を選定しなければならない。従って、アンテナの配置に制約が生じ、また裏蓋の材質は金属を選定することが出来ないという問題点を抱えている。
【００１１】
そこで、本発明は、外部の電波を良好に受信でき正確な時刻修正を可能とする電波修正時計をもたらせながら、同時に、外装ケースを金属で構成することによって装飾性を高めることを目的とする。
【００１２】
【課題を解決するための手段】
本発明の電波修正腕時計は、時刻情報を含んだ電波を受信して内部時刻を修正する電波修正腕時計において、
金属外装ケースと、前記金属外装ケースの端部に取り付けられた腕装着用のバンドと、前記金属外装ケース内部に配置されたアンテナとを有し、断面方向において前記バンドより裏面側に位置する前記金属外装ケースの端部には表面側から見て前記バンドによりほぼ覆われる非導電材からなる非導電部が配置されており、前記非導電部に対向して前記アンテナが配置されていることを特徴とする。
【００１３】
上記構成により、まず、外装ケースを金属で構成したので、プラスチックで構成する場合に比べて装飾性が高まり高級感のある腕時計が得られる。金属外装ケースは、例えば黄銅、ステンレススチール、チタン、アルミニューム、金、銀、及びそれらの合金、あるいはセラミックなどであり、それ自体の装飾価値が高い上、表面の機械加工により多様な表面仕上げを施すことが出来る。例えば、鏡面仕上げ、すじ目仕上げ，梨地仕上げなどが代表的であり、また湿式メッキあるいは乾式メッキなどの表面被覆も任意に形成でき、前記表面仕上げとの組み合わせにより、腕装着装飾品としての品位と多様性とを実現できるものである。更に、金属外装ケースは、機械的な強度、例えば硬度や剛性が高く、傷がつきにくく又内蔵する時計ムーブメントを損傷から守ることが出来る。更に、金属はプラスッチクよりも重いため、軽々しさがなく適度な重みと手ごたえのある腕時計をもたらすことができる。
【００１４】
上記本発明は、このような腕時計としての優れた外装ケースの役割りを保有しながら、従来の課題であった電波の受信を可能にしたものである。即ち、前記金属外装ケースの端部に腕装着用のバンドが取り付けられるが、前記バンドの取付け方向における前記金属外装ケースの壁部には、非導電材からなる非導電部が配置されており、前記非導電部に対向して前記アンテナが配置されているから、腕時計外部の電波がこの非導電部から外装ケースの内部に入り込むことができ、この非導電部に対向して配置されているアンテナによって上記電波を受信することが出来る。この場合、上記の非導電部の配置箇所は、断面方向において前記バンドよりも前記金属外装ケースの裏面側であるので、腕時計の表側である上方から、つまり腕時計の使用者が腕時計を見る方向からは、上記非導電部がバンドによりほぼ隠されることになるので、使用者が普段目にする外装ケースの表側の金属外装ケースの一部に非金属が構成されて見える場合のような違和感が無く、装飾性を損ねることがない。
【００１５】
なお、上記の金属外装ケースは、内蔵される時計体（ムーブメント等）を支持するケース本体とも言えるいわゆる胴とこの胴に取付けられる裏蓋との両者を指す場合と、上記胴と裏蓋とが一体になったいわゆるワンピース構造の全体を指す場合とがある。
【００１６】
この場合、本発明の電波修正腕時計は、前記アンテナは、コアとコイルとを備えており、前記非導電部に対向して前記アンテナのコアが配置されていることを特徴とする。
【００１７】
このように、前記非導電部に対向して前記アンテナのコアが配置されているので、前記非導電部から入り込んできた電波は、対向して配置されている上記コアそのものに入り込むことになり、電波の受信が良好に行われることになる。前記非導電部に対向する部分がアンテナのコイルであってコアが非導電部に対し上下にずれて対向していない場合には、電波がコアを通過しにくくなり受信が良好に行われにくくなるが、前述のようにコアが非導電部に対応するように断面方向（厚み方向）に配置されているので、外部からの電波がコアを通過しやすくなって受信し易くなるものである。
また、本発明の電波修正腕時計は、前述の電波修正腕時計において、
前記非導電部は、前記金属外装ケースの１２時側と６時側の両方に設けられており、前記アンテナのコアは前記１２時側と６時側の両方において前記非導電部に対向して配置されていることを特徴とする。
【００１８】
腕装着用のバンドは、外装時計ケースの１２時側と６時側の両方に設けられているので、前記非導電部を１２時側と６時側の両方に設けることができ、外部からの電波は、腕時計において１２時側と６時側に配置された前記非導電部とアンテナ、ことにそのコアを通過する磁気通路が形成されるので、アンテナにより電波の受信がより良好に行われることになる。
【００１９】
更に、本発明の電波修正腕時計は、前述の電波修正腕時計において、
前記非導電部は、前記金属外装ケースに取付けられた前記バンドの取付け部よりも前記金属外装ケースの裏面側に設けられていることを特徴とする。
【００２０】
上記のバンドの取付け部は、バンド端部のほぼ中心部のバネ棒穴に挿入されたバネ棒が外装ケースのバネ棒取付け穴に挿入してバンドが外装ケースに取付けられる場合には、バネ棒穴が形成されている周辺部分を指す。ことにバンドが革製やウレタンなどのプラスチックスのような非金属からなる場合にはバネ棒が金属で作られることから、上記のバンドの取付け部は、バネ棒そのものを指す。その場合には、金属のバネ棒よりも前記の裏蓋側に前述の非導電部が配置されることから、アンテナによる電波の受信に金属バネ棒が妨げないか妨げられにくくなる。
【００２１】
また外装ケースに取り付くバンドが金属であり、この金属バンドの取り付け位置に対して前記非導電部は金属外装ケースの裏面側に設けられている場合には、前記非導電部は金属バンドと断面方向において重なることがないので、前記非導電部により外装ケース内部に入り込もうとする電波が金属バンドにより妨害されることがないか減少する。
【００２２】
更にまた、本発明の電波修正腕時計は、前述の電波修正腕時計において、
前記非導電部は、前記金属外装ケースにおける裏蓋が取付く胴に設けられていることを特徴とする。
【００２３】
前記非導電部は前記胴に取り付けられるので、前記非導電部は金属外装ケースにおいて表側に配置することが可能となり、アンテナ位置も表側に配置できるので、薄型の腕時計をつくることが可能となる。また、裏蓋側からの外観は、前記非導電部が裏蓋側よりも表面側に位置しているので、裏蓋側からは前記非導電部が見えにくくなり、裏蓋側の外観が損なわれることが減少する。
【００２４】
更にまた、本発明の電波修正腕時計は、前述の電波修正腕時計において、
前記非導電部は、前記金属外装ケースにおける胴に取付く裏蓋に設けられていることを特徴とする。
【００２５】
前記非導電部は、金属外装ケースにとって裏蓋側に近い断面位置に配置されるので、表側から見た場合に前記非導電部が見にくくなり、表側からの外観は、ほぼ金属調の印象をもたらすので、外観を損なうことを防止することができる。
【００２６】
更にまた、本発明の電波修正腕時計は、前述の電波修正腕時計において、
前記非導電部は、プラスチック又は合成ゴムからなることを特徴とする。
【００２７】
このように構成すると、プラスチック又は合成ゴムは、外部からの電波を通過しやすくアンテナの受信を妨げることがない。更に、金属外装ケースに対しての取り付けが容易となる。例えば、金属外装ケースに対して射出成形で構成することが容易であり、また接着で形成することも容易である。また、プラスチック又は合成ゴムを防水パッキンとして用いることも可能である。
【００２８】
更にまた、本発明の電波修正腕時計は、前述の電波修正腕時計において、
前記非導電部は、前記胴と裏蓋との間に配置された両者間の防水をなす防水パッキンであることを特徴とする。
【００２９】
前記胴と裏蓋との間に前記非導電部が配置されると、特にプラスチック又は合成ゴムには適度な弾性があることから防水機能をもたらせることが可能となる。その場合は、前記非導電部に、アンテナに電波を通過させる機能と防水パッキン機能との両者の機能をもたらせることが出来る。
【００３０】
更にまた、本発明の電波修正腕時計は、前述の電波修正腕時計において、
前記非導電部は側面形状が扁平な略長方形であり、前記アンテナのコアも側面形状が扁平な略長方形であることを特徴とする。
【００３１】
このように前記非導電部と前記アンテナのコアの側面形状を扁平な略長方形にすると、厚み方向に薄い腕時計全体をもたらせることができる。この場合、アンテナのコアが扁平な略長方形であれば、コイルも同様となりアンテナ全体も扁平な略長方形となるから、内蔵される時計体も薄く構成でることができるものである。
【００３２】
更にまた、本発明の電波修正腕時計は、前述の電波修正腕時計において、
前記アンテナのコアは、前記非導電部に対向する両端の内方が折れ曲がりその折れ曲り部の内方は略水平部となり、前記略水平部は前記両端に対して前記金属外装ケースの表側に盛り上がっていることを特徴とする。
【００３３】
このように構成すると、前記非導電部に対向して前記非導電部とほぼ同じ厚み方向の位置に前記コアの両端が配置されるが、前記略水平部は、前記表側に近づく位置に配置できることになり、アンテナが時計体内部に配置されている場合には時計体の殆どの部分を薄く形成できる。また、その折れ曲がり具合を適宜設計することにより、時計体と金属外装ケースと前記非導電部の配置に自由度をもたらせることができ、多様の腕時計デザインにも対応し易くなる。
【００３４】
更にまた、本発明の電波修正腕時計は、前述の電波修正腕時計において、
前記アンテナのコアは、平面方向において前記金属外装ケースにおける１２時側と６時側を結ぶ中心線に対して前記金属外装ケースのほぼ中央を中心として角度αだけ傾斜して配置されていることを特徴とする。
【００３５】
このように角度αだけ傾斜させると、前記アンテナの中心線は、平面方向から見て前述の金属バンドや金属バネ棒の存在領域から早く抜け出すことができ、外部からの電波は、その金属バンドや金属バネ棒によって妨げられにくくなってアンテナが電波を受信し易くなるものである。実際上、腕時計がバンドで腕に取り付けられバンドは腕に沿ってほぼ円弧状となって前記前記非導電部を囲むようになる。この状態でバンドが金属の場合は、一般的に、外部からの電波はアンテナの電波侵入部、或いは排出部（コアの両端部）を囲む金属バンドに妨げられるので、電波は前記アンテナに入り込みにくくなるものである。しかし、上記の様にアンテナ（特にコア）の中心線が、前述の１２時側と６時側を結ぶ中心線に対して金属外装ケースのほぼ中央を中心として角度αだけ傾斜するようにアンテナを配置することによって、アンテナの電波侵入部、或いは排出部を囲む金属バンドの平面領域が少なくなることになり、金属バンドによるアンテナへの電波の挿入・通過が妨げられにくくなり、さらにより良好な受信が可能となるものである。
【００３６】
更にまた、本発明の電波修正腕時計は、前述の電波修正腕時計において、
前記バンドは、金属から構成されていることを特徴とする。
【００３７】
前述のようにバンドが金属により構成されていると、バンドの平面面積が大きいので、アンテナへの電波の侵入・通過が妨害され易いが、上記の様にバンドが金属外装ケースの取り付け部よりも裏蓋側に前記非導電部とアンテナが配置されていることによって、金属バンドによるアンテナへの電波の侵入・通過が妨害されにくくなるものである。
【００３８】
更にまた、本発明の電波修正腕時計は、前述の電波修正腕時計において、
前記非導電部は、非金属のバンドを前記金属外装ケースに取付ける金属取付け部材に対して前記金属外装ケースの裏面側に設けられていることを特徴とする。
【００３９】
この構成により、前記非導電部に対向するアンテナも前記金属取付け部材（多くはバネ棒）に対して前記金属外装ケースの裏面側に設けられていることになるから、アンテナと金属取付け部材が厚み方向においての重なりが殆どなくなるから前記アンテナが外部の電波の受信を前記金属取付け部材に妨げられることが少なくなるものである。
【００４０】
更にまた、本発明の電波修正腕時計は、前述の電波修正腕時計において、
前記金属外装ケースは、胴と前記胴に取着する裏蓋とを有し、前記胴と裏蓋は金属であることを特徴とする。
【００４１】
この場合は、裏蓋も金属で構成して外観を金属調であることによる装飾性を高めることができ、しかも、前記非導電部をバンド取付け部に対して裏蓋側に配置したからアンテナの電波受信は、金属の胴と裏蓋によって妨げられることが少なくなる。
【００４２】
更にまた、本発明の電波修正腕時計は、前述の電波修正腕時計において、
前記金属外装ケースは、胴と前記胴に取付く裏蓋とを備え、前記胴は金属からなり、前記裏蓋は非金属からなることを特徴とする。
この場合は、裏蓋が非金属であったとしても使用者が普段目にするところは表側であるので、外観上目立つことがなく、アンテナによる電波受信の際に、非金属の裏蓋からも電波が回りこんでアンテナの受信が良好になるものである。
【００４３】
更にまた、本発明の電波修正腕時計は、前述の電波修正腕時計において、
前記金属外装ケースは、プラスチック材の基部の表面に金属薄材を被覆していることを特徴とする。
このように構成すると、金属外装ケースの外観は金属調となって装飾性が高まり、同時に内部がプラスチックであることから、材料代が安く済み、また射出成型等も可能で、総じて安価な外装ケースを提供できるものである。
【００４４】
【発明の実施の形態】
以下、本発明の実施の形態を図面に基づいて説明する。
【００４５】
［第１実施形態］
本発明の第１実施形態を図１から図４において、説明する。
【００４６】
図１は第１実施形態の電波修正腕時計１の１２時と６時を結ぶ中心線における主要断面図、図２は図１の裏蓋側から見た平面図、図３は図１及び図２の６時側（図１及び図２の右側）から見た側面図、図４は図２のＸ−Ｘ線における断面図であってその主要部品のみを示している。
【００４７】
電波修正腕時計１には、ステンレススチールや黄銅やチタンや金合金や銀合金等の金属からなる胴２、この胴２の表側に接着されサファイヤガラスやアクリル樹脂等の非導電性材からなるカバーガラス３、前記胴２にスナップ取り付けされ前記胴２と同様の金属からなる裏蓋４とから構成された外装ケースと、この胴２の１２時側と６時側の外端部に取り付けられているバンド５と、前記胴２と裏蓋４により支持されている時計体６を備えている。
【００４８】
ここで、時計体６は、機械体と呼ばれるムーブメント７と、黄銅等の金属、又は石英、プラスチック等の非導電材からなる文字板８と、ムーブメント７の筒車や筒かなに押し込まれて支持されている時刻表示針である時針９及び分針１０を一体に備えている。
【００４９】
上記ムーブメント７には、時刻情報が重畳された長波標準電波（外部無線情報）を受けるアンテナ１１と、アンテナ１１で受けた長波標準電波を処理して標準時刻情報（タイムコード）として出力する受信手段としての受信回路（図示省略）と、前記受信回路から出力された標準時刻情報を記憶するデータ記憶回路（図示省略）と、腕時計自身で基準時刻を作り出す水晶発振回路及び分周回路と、時刻を表示する時針９および分針１０更には秒針（図示省略）等の指針を駆動する指針駆動用モータ（図示省略）と、前記分集回路から出力された基準時刻信号に基づいて指針駆動用モータに駆動信号を供給するモータ駆動回路（図示省略）と、時針９と分針１０等時刻表示針の針位置を検出する針位置検出回路（図示省略）と、前記受信回路による標準時刻情報と前記針位置検出回路の針位置信号とを比較して腕時計自身の基準時刻を修正する時刻修正制御回路と、各回路を駆動する電源としての電池（図示省略）と、を備えて構成されている。
【００５０】
上記アンテナ１１は、フェライトやパーマロイや純鉄やアモルファス金属等の高透磁率材からなる断面形状や側面形状が扁平な略長方形となっているコア１２とこのコア１２の周囲に巻きつけられているコイル１３とを有しており、時計外部から電波が侵入するとコア１２の中を電波が通過するがこの通過によってコイル１３に誘起磁界が発生し、コイル１３から上記受信回路にその誘起磁界が送付されて外部電波を電気信号に変換して時刻情報を取り込むものである。上記コアの断面形状や側面形状が扁平な略長方形となっていることから、コイルも全体のアンテナ１１も同様に断面形状や側面形状が扁平な略長方形となるから、アンテナ１１が取り付くムーブメント７は薄くなり、腕時計全体の薄型化を実現することができる。なお、上記コア１２の断面形状や側面形状は、どのようであってもよいものであり、例えば丸棒でも楕円形状であっても良い。
【００５１】
上記バンド５は、天然革や人造革、又はウレタン樹脂などのプラスチックス等の非金属材料からなり、バネ棒１４がバンド５の胴２に近い端部に形成された金属からなるバネ棒４が貫通する穴に挿入され、しかも胴２の１２時側と６時側の両外端部の各左右両端に突出して形成されているバンド取付け部２ａ，２ａに設けられているバネ棒の取付け穴（図示省略）にバネ棒１４の両先端が挿入されるので、バンドが胴２に取り外し可能に取り付けられている。
【００５２】
裏蓋４は、前述のような金属からなり、胴２の裏蓋４側から時計体６を組み込んだ後に、胴２の下端にスナップ止めされる。この裏蓋４には、図４に図示されているように、裏蓋４のから上方に突出してスナップ突起４ａが形成されており、胴２下端の内壁に形成された係合溝２ｂにスナップ係合して胴２に取り付けられている。上記スナップ突起４ａは、図２のように、図２の上下両側壁に２箇所ずつ形成されている。
【００５３】
なお、裏蓋４は、プラスチック、無機ガラス等の非導電材で作られもよく、その場合は、裏蓋からも電波が入りやすくアンテナでの受信がしやすくなる。
【００５４】
ここで、金属外装ケースを構成する裏蓋４には、バンド５の取り付け方向である１２時側と６時側に、図１の様に、裏蓋４の上端側に、プラスチックや合成ゴム等の非導電部材である非導電部としての電波導通部１５が取着されている。この電波導通部１５は、裏蓋４の上端側に形成された窪みに電波導通部１５の接合面１５ａが接着剤で接着されることにより、あるいは金属裏蓋４に射出成型することによって強固に取り付けられている。裏蓋４の前記スナップ突起４ａにスナップ取付けされた際には、電波導通部１５の上端が胴２の裏面に密着するように電波導通部１５の上端の寸法は形成されている。また、電波導通部１５の上面には、防水パッキン１６が配置されるパッキン溝が形成されており、更に電波導通部１５以外の裏蓋４の上端面にも図４に図示されているように防水パッキン１６が配置されるようになっているので、裏蓋４と胴２との接合部からは水や汗や埃が外装ケースの内部に侵入することを防止している。更に、この電波導通部１５の平面形状は、図２に図示されている様に、裏蓋４の１２時側と６時側に設けられている。
【００５５】
上記電波導通部１５は、断面方向（厚み方向）において、バンド５の下面５ａと同じかまたは前記下面５ａよりも下方即ち裏蓋側に配置されている。その場合の、前記下面５ａと同じかまたは前記下面５ａよりも下方の意味は、図３のように側面から見た場合、前記電波導通部１５における外形の上方位置が上記前記下面５ａと同じかまたは前記下面５ａよりも下方であることを指すものである。
【００５６】
なお、上記の場合、上記の前記下面５ａと同じかまたは前記下面５ａよりも下方とは、前記電波導通部１５の上方位置がすべてが前記下面５ａと同じかまたは前記下面５ａよりも下方である必要はなく、前記電波導通部１５の上方位置の半分以上が前記下面５ａと同じかまたは前記下面５ａよりも下方にあればよく、前記電波導通部１５の上方位置の一部が前記下面５ａよりも上方に構成されていても前述の作用効果が得られるので、本発明に含まれものである。
【００５７】
更に、電波導通部１５の幅は、胴２のバンド取付け部２ａ，２ａ間の幅に対して又バンド５の幅に対してほぼ同等かそれらよりも若干狭く形成されている。このように電波導通部１５の幅を上記のようにほぼ同等に形成することによって、アンテナ１１の特にコア１２の幅を広く形成できるので電波を受信しやすくできると同時に、非金属の電波導通部１５の側方がバンド５によって側方が隠れるので外観が損なわれることがない。
【００５８】
また、電波導通部１５の側面方向の形状は、図３、図４に図示されているように、扁平な略長方形となっている。その場合、アンテナ１１、特にコア１２を取り囲む形状に形成されている。このようにコア１２の全周を取り囲むように、つまりコア１２が電波導通部１５の側面形状の外形線の内側に配置されていると、コア１２が電波導通部１５の側面形状の外形線より外側に配置されている場合に比べ、外部からの電波が電波導通部１５から侵入してきた場合にコア１２はダイレクトに受け止めることができ、受信を良好に行うことができる。
【００５９】
以上のように構成されていることから、使用者が普段腕時計を目にする機会が多い腕時計の表側、すなわちカバーガラス３、時針９、分針１０、文字板８などの時刻表示部が配置されている側からは、外装ケースはほぼ金属だけが見えるので、その装飾価値は前述のように高まるものである。
【００６０】
加えて、前記電波導通部１５が前記バンド５よりも前記金属外装ケースの裏面側、つまり裏蓋側に配置されていることから、外部からの電波はバンド５の金属部分に妨げられることがなく前記電波導通部１５内に進入し、前記電波導通部１５に対向して配置されているアンテナ１１、ことにそのコア１２を通過することになる。その際には、１２時側と６時側の両方においてバンド５の金属部分によりアンテナ１１、ことにそのコア１２を外部からの電波の進入が妨げられることがないので、上記電波は一方の電波導通部１５から進入し、それに対向する一方のコア１２に入り、他方のコア１２から他方の電波導通部１５を通過して外部に出てゆくという、電波の通過ルートが形成されることになり、よってアンテナ１１での受信に何の障害もなく、良好に受信されるものである。
【００６１】
［第１実施形態の変形例１］
上記電波導通部１５の断面方向の位置は、上記に限定されるものではなく、バンド５が前述のように非金属である場合には、バンド取り付け部である金属のバネ棒１４の下面１４ａと同じかその下面１４ａよりも下方であってもよく、上記電波導通部１５がバンド５により隠れるとともに、外部からの電波受信に影響はないものである。
【００６２】
［第１実施形態の変形例２］
また、上記電波導通部１５の断面方向の位置は、さらに、バンド５が前述のように非金属であり、バネ棒も非金属であってバネもバネを入れる筒も非金属、例えばプラスチックスからなる場合には、バンド５の上面５ｂと同じかその上面５ｂよりも下方であってもよく、上記電波導通部１５がバンド５により隠れるとともに、金属部材に妨げられることがないので外部からの電波受信は良好に行われるものである。
【００６３】
［第１実施形態の変形例３］
上記電波導通部１５が裏蓋４に取り付けられる場合に、図５のように裏蓋４の上端面よりも下方に挿入するようにしてもよい。この場合は、上記電波導通部１５の断面方向の位置が（裏蓋の裏面側に）下がりバンド５下面との距離が離れるので、電波の受信がより良好になり得る。また、上記電波導通部１５が裏蓋４の側壁に設けられた開口部に上記電波導通部１５がはめ込まれるように取り付けられるので、胴２の下端にスナップ取り付けされて上記電波導通部１５にも応力がかかるにもかかわらず、上記電波導通部１５が裏蓋４から剥離することが防止され、強度上の信頼性が向上する。
【００６４】
［第１実施形態の変形例４］
上記電波導通部１５が取り付けられる対象は、前述の裏蓋に限定されるのではなく、外装ケースならばどこでもよく、図６のように、胴２であってもよい。図６では、上記電波導通部１５が胴２の下端に、前述のように接着、射出成型、あるいはカシメなどで取り付けられている。
【００６５】
前記電波導通部１５は前記胴２に取り付けられるので、電波導通部１５を胴２において表側に配置することが可能となり、アンテナ位置も表側に配置できるので、薄型の腕時計をつくることが可能となる。また、裏蓋側からの外観は、前記電波導通部１５が裏蓋から表側側に近づく方向に位置するので、裏蓋側からは前記非導電部が見えにくくなり、裏蓋側の外観が損なわれることが減少する。
【００６６】
［第１実施形態の変形例５］
前記アンテナ１１のコア１２は、図１のように断面がフラットである場合の他に、図７に図示されているように断面が折れ曲がっているものでもよい。図７では、アンテナのコア１２両端の外端部１２ａ、１２ａは、前記電波導通部１５、１５に対向して電波が通過しやすくなっているが、その外端部１２ａ、１２ａの内側の折れ曲がり段部の内方は内方平坦部１２ｂとなって折れ曲がり高さ分だけ表側に移動した状態で配置されている。このため、折れ曲がり高さ分だけムーブメント７を薄くすることが可能であり、あるいはムーブメント７とアンテナ１１（ことにコア１２）と電波導通部１５と胴２と裏蓋４との断面方向の配置上の自由度が増して、多様な要求に対応できる実用上の効果がある。
【００６７】
上記のように外端部１２ａ、１２ａの内側の折れ曲がり段部の内方は内方平坦部１２ｂとなったアンテナ１１でも、外部の電波は、一方の外端部１２ａから侵入すると、コア１２が高透磁率材であるがゆえに段部から内方平坦部１２ｂを通り他方の外端部１２ａから抜けて行くという磁気ルートがけいせいされることになり、アンテナ１１による受信が良好に行われることになる。
【００６８】
［第２実施形態］
本発明の第２実施形態について、図８を参照して説明する。なお、本実施形態において、前記第１実施形態と同一または同様の構成要素には前記第１実施形態と同一の符号を付し、その詳細説明を省略する。
【００６９】
第２実施形態の電波修正時計１は、図８に示すように、バンドを金属バンド１０５とし、胴１０２に金属ロウ材又は接着材で接合した点のみが相違し、その他の構成は第１実施形態と同一である。
【００７０】
金属バンド１０５が胴１０２の１２時側と６時側の外壁に接合されるので、図１のようなバンド取付け部２ａは不要である。その胴１０２の下端には、第１実施形態と同様の非金属からなる電波導通部１１５が接着などにより一体に形成されており、その電波導通部１１５に対向してアンテナ１１、ことにそのコア１２が配置されている。上記金属バンド１０５が胴１０２に取り付けられる取付け個所の下面１０５ａと同じかそれよりも下方、つまり裏蓋１１４側に前記電波導通部１１５が配置されており、したがって、前記コア１２も配置されていることになる。１０４は裏蓋である。
【００７１】
一般に、前記の金属バンド１０５は、いわば金属の胴１０２と一体となってアンテナに対して外部からの電波の侵入を阻害するのである。本発明の第２実施形態は、その金属バンド１０５とは断面において重なりがないようにアンテナ１１特にそのコア１２を配置しているので、バンドが金属であっても電波受信の阻害を防止することができる。外部からの電波は、金属バンド１０５の下方に存在するので、一方の金属バンド１０５の下方から一方の電波導通部１１５に容易に侵入でき、アンテナコア１２を通り他方の電波導通部１１５を通って他方の金属バンド１０５の下方を経て外部に抜けることができる。したがって、アンテナ１１は、バンドが金属バンド１０５でありながら、外部の電波の受信を良好に行うことができる。
【００７２】
この場合も、前記電波導通部１１５は、プラスッチックスやゴムなどの非金属でありながら、金属バンド１０５に隠れるので、表側からの金属外装ケースの外観が損なわれることがない。
【００７３】
［第３実施形態］
本発明の第３実施形態について、図９を参照して説明する。なお、本実施形態において、前記第１実施形態と同一または同様の構成要素には前記第１実施形態と同一の符号を付し、その詳細説明を省略する。
【００７４】
本発明の第３実施形態は、例えば、図１、図２のアンテナを金属外装ケース、特に胴に対して平面方向において傾かせて配置し、アンテナが金属バンドやバンド取付け用の金属取付け部材による電波不受信の影響を極力避けようとするものである。
【００７５】
図９は、図２に対してアンテナ１１を上記の様に傾かせた状態を表している裏蓋側から見た平面図である。即ち、金属の胴２の幅方向における中心線（１２時と６時を結ぶ中心線）であり、又は１２時側のバンド５と６時側のバンド５の幅方向における中心線Ａと、アンテナ１１の幅方向の中心線Ｂとを、角度θをもつ様にアンテナ１１を傾斜させて配置している。従って、アンテナコア１２とコイル１３の幅方向の中心線も角度θをもって傾斜して配置されている。
【００７６】
このため、前述の様に前記バンドの取付け方向における前記金属外装ケースの壁部には、断面方向において前記バンド５よりも前記金属外装ケースの裏面側に非導電材からなる電波導通部１５が配置されていること、即ち断面方向でバンド５やバネ棒１４の影響を受けにくくなることと相まって、前記電波導通部に対向して前記アンテナが配置されている。アンテナ１１ことにコア１２はコア１２の中心線Ｂがバンド５の側端部５ｃから外方に抜けること、即ち平面方向でバンド５やバネ棒１４の影響を受けにくくなるので、外部から送信されてくる電波は、断面方向でも平面方向でもバンド５やバネ棒１４の影響を受けにくくなり電波導電部１５に入りやすく、従ってアンテナコア１２によって受信しやすくなるものである。この場合、バネ棒１４が金属であっても受信への影響は受けにくくなることは同様である。
【００７７】
しかも、上述の様にアンテナ１１の幅方向の中心線Ｂを、１２時側のバンド５と６時側のバンド５の幅方向における中心線Ａに対して角度θをもつ様にアンテナ１１を傾斜させて配置していることは、上記中心線Ｂの方向が使用者の体から離れる方向に向きやすくなり、使用者が身に付けている金属装飾品による電波受信障害を防ぐ効果がある。即ち、使用者が腕時計を腕に付けている場合、特に時刻を見ようとする場合は、１２時と６時を結ぶ線は、使用者の体のほぼ中心を向くものであるが、前述の様にアンテナ１１の幅方向の中心線Ｂが上記１２時側のバンド５と６時側のバンド５の幅方向における中心線Ａに対して角度θをもつ様に傾斜しているので、その傾斜角度θだけ、使用者の体の中心から外れることになり、使用者が身につけているネックレス、ブローチ、ベルト、ボタン、イヤリング、腕輪、指輪などの金属装飾品からも離れる方向となり、従って外部から送信されてくる電波受信の障害が少なくされることになる。
【００７８】
上記傾斜の角度θは、５度〜４５度、好ましくは１０度〜４０度、より好ましくは１５度〜３５度、更に好ましくは２０度〜３０度に設定することが現実的である。上記の各々の小さい角度以上であると上記の電波障害の影響が少なくなる方向である。また上記角度を大きくするとバンドやバネ棒の平面領域からは早く脱出できるので電波障害を少なく出来ることにはなるがコア１２が電波導電部１５と対向できる面積が少なくなるので、電波を受け止めにくくなる。しかも、外装ケースの中にアンテナ１１を配置する場合の自由度が少なくなり、アンテナ１１を小さくすることになるので、受信性能を落とすことになる。以上の状況から、最適な角度θを選択することが必要である。この状況から、実際上の角度θは、多くの場合、１５度〜３５度、或いは２０度〜３０度に設定することが好ましい。
【００７９】
［第３実施形態の変形例１］
図１０は、図８に図示したように金属バンド１０５を金属の胴１０２に接合した構造において、図９と同様にアンテナ１１を胴１０２に対して傾斜させた裏蓋側から見た平面図である。この場合も、金属バンド１０５の裏蓋１０４側に電波導電部１１５が配置されており、この電波導電部１１５に対向してアンテナ１１、特にコア１２が配置されている。その上、上記の様に角度θ分、アンテナ１１が傾斜しているので、上述のように、アンテナ１１による電波受信障害が減少する。
【００８０】
［第４実施形態］
図１１と図１２は、第４実施形態の主要部の断面図を示す。なお、本実施形態において、前記第１実施形態の変形例５と同一または同様の構成要素には同一符号を付し、説明を省略する。
【００８１】
図１１は、図７の胴２に対して、胴２０２が内部のプラスチックの内胴２０２ｂとその内胴２０２ｂの表面に被せた薄膜金属からなる外胴２０２ｃとからなる点が異なる。上記外胴２０２ｃは、予め形成しておいた金属薄板であり、内胴２０２ｂ表面に接着してもよく、或いは、内胴２０２ｂ表面に湿式メッキや乾式メッキで薄板金属を形成してもよい。内胴２０２ｂは、成形できる材料で相当の強度があればなんでもよく、例えばポリカーボネート樹脂、ＡＢＳ樹脂、アクリル樹脂などでもよく、射出成形によって形成される。外胴２０２ｃは、例えば、黄銅、銀合金、金合金，チタン合金などでも良い。
【００８２】
図１２は、裏蓋４が胴２０２に取り付けられている構造図であって、図５に相当する断面図を示している。
このように構成することによって胴の外観は金属となるが、内胴２０２ｂがプラスチックであることから安価となる。
なお、裏蓋４は、金属でもよく、サファイヤガラスに金属蒸着して表面が金属調に見えるようにしたものでも良い。
【００８３】
［第４実施形態の変形例１］
図１３は、図１１及び図１２の変形例であって、図１１、図１２の胴２０２に対し裏蓋２０４が食いついている構造図である。この裏蓋２０４は、プラスッチクの内裏蓋２０４ｂの表面に薄板金属の外裏蓋２０４ｃが形成されている。内裏蓋２０４ｂは、図１１の内胴２０２ｂと同様の材質と製造方法で形成され、外裏蓋２０４ｃは、図１１の外胴２０２ｃと同様の材質と製造方法で形成されているものである。
【００８４】
［その他の変形例１］
図１４は、図３に類似する１２時側又は６時側から見た側面図である。図１４において、３０２は金属の外装ケースであって胴と裏蓋が一体になっており、ムーブメントを表側から挿入する外装ケース構造である。その外装ケース３０２の１２時側と６時側の側壁には、前述の電波導電部３１５が設けられており、断面が楕円状のアンテナ３１１が配置されている。このアンテナ３１１は、コア３１２とコイル３１３からなる。電波導電部３１５の側面形状の内部には前記コア３１２が対向配置されている。コイル３１３の上部は、電波導電部３１５の外側まではみ出している。このコイル３１１は、断面楕円形状であるので、コイル３１３を巻きやすくなる。その断面形状は、ほぼ丸い形状であっても良い。
【００８５】
［その他の変形例２］
図１５は図１とほぼ同じ構造であるが、図１と異なるのは、図１５ではアンテナ１１の一部がムーブメント７の中に潜り込んでいる点である。アンテナのコア１３は、その上部においてムーブメント７の中まで配置されているので、その潜り込み分だけアンテナ１１が表面側（上方）に移動でき、その分は腕時計全体を薄く構成できる。
【００８６】
図１６は、図１５の裏蓋４０４が胴４０２に取り付けられた構造図である。
【００８７】
［その他の変形例３］
各図において、電波導電部は非金属であって、例えばプラスチックとして説明して来た。その場合、実質的に電波の通過を妨げない程度にそのプラスチック表面に薄い金属箔を湿式メッキや乾式メッキで付けてもよく、そのようにすることによって表面が金属調とすることが出来、より外装部材全体が金属調とすることができて、外観装飾性を高めることができる。
【００８８】
【発明の効果】
以上、説明したように本発明の電波修正腕時計によれば、金属外装ケースの外観を有しながら、アンテナによる電波受信を良好に行うことができる実用的な腕時計をもたらすことができるという効果を奏する。
【図面の簡単な説明】
【図１】本発明の第１実施形態における電波修正時計の主要部を示す断面図である。
【図２】図１の裏蓋側から見た平面図である。
【図３】図１の６時側から見た側面図である。
【図４】図２のＸ−Ｘ線での裏蓋と胴の取り付け部の断面図である。
【図５】第１実施形態の変形例３での裏蓋と胴の取り付け部の断面図である。
【図６】第１実施形態の他の変形例４における電波修正時計の主要部を示す断面図である。
【図７】第１実施形態の別の変形例５における電波修正時計の主要部を示す断面図である。
【図８】第２実施形態における電波修正時計の主要部を示す断面図である。
【図９】第３実施形態における裏蓋側から見た平面図である。
【図１０】第３実施形態の変形例における裏蓋側から見た平面図である。
【図１１】第４実施形態における電波修正時計の主要部を示す断面図である。
【図１２】図１１の６時側から見た側面図である。
【図１３】第４実施形態の変形例１における裏蓋と胴の取り付け部の断面図である。
【図１４】その他の変形例１における６時側から見た側面図である。
【図１５】その他の変形例２における電波修正時計の主要部を示す断面図である。
【図１６】図１５の裏蓋と胴の取り付け部の断面図である。
【符号の説明】
１…電波修正腕時計、２、１０２、２０２、３０２，４０２…胴、２ａ・・・バンド取付け部、２ｂ・・・係合溝、３…カバーガラス、４、１０４、２０４、４０４…裏蓋、４ａ・・・スナップ突起、５、１０５…バンド、６…時計体、７…ムーブメント、８…文字板、９…時針、１０…分針、１１、３１１…アンテナ、１２、３１２…コア、１２ａ・・・コアの外端部、１２ｂ・・・コアの内方平坦部、１３、３１３…コイル、１４…バネ棒、１５、１１５、４１５…電波導通部（非導電部）、１５ａ・・・電波導通部の接合面、１６…防水パッキン、Ａ…１２時側のバンドと６時側のバンドの幅方向における中心線、Ｂ…アンテナの幅方向の中心線
【図１】
2004125659.tif 000003
【図２】
2004125659.tif 000004
【図３】
2004125659.tif 000005
【図４】
2004125659.tif 000006
【図５】
2004125659.tif 000007
【図６】
2004125659.tif 000008
【図７】
2004125659.tif 000009
【図８】
2004125659.tif 000010
【図９】
2004125659.tif 000011
【図１０】
2004125659.tif 000012
【図１１】
2004125659.tif 000013
【図１２】
2004125659.tif 000014
【図１３】
2004125659.tif 000015
【図１４】
2004125659.tif 000016
【図１５】
2004125659.tif 000017
【図１６】
2004125659.tif 000018